(57)【要約】  【課題】  通帳の正めくりと逆めくりを行うことが可能であり、かつ、装置を小型化することのできる通帳ページめくり装置を提供する。  【解決手段】  通帳ページめくり装置１は、複数枚のシートが綴じ部で綴じられた通帳Ｔを搬送経路上で搬送する搬送ローラ４、６と、搬送ローラ４、６と連動して、搬送経路上で搬送される通帳のページめくりを行うめくりローラ１０を備える。めくりローラ１０には、めくりレバー１２が設けられており、めくりローラ１０は、正めくり位置と逆めくり位置との間で揺動する。正めくり位置では、めくりローラ１０と搬送ローラ４、６との間に正方向のページめくり用の空間が確保され、逆めくり位置では、めくりローラ１０と搬送ローラと４、６の間に逆方向のページめくり用の空間が確保される。【選択図】  図１
2009262368.tif 000002
【特許請求の範囲】
【請求項１】
複数枚のシートが綴じ部で綴じられた通帳を搬送経路上で搬送する搬送手段と、
前記搬送手段と連動して、前記搬送経路上で搬送される前記通帳のページめくりを行うページめくり手段と、
前記ページめくり手段を、前記搬送手段との間に正方向のページめくり用の空間が確保された正めくり位置と、前記搬送手段との間に逆方向のページめくり用の空間が確保された逆めくり位置との間で揺動させる揺動手段と、
を備えたことを特徴とする通帳ページめくり装置。
【請求項２】
前記通帳のページめくりが行われるページめくり位置において前記搬送経路の上側に配置され、前記搬送経路上での前記通帳の搬送をガイドするガイド手段と、
前記ページめくり手段の揺動と連動して、前記ガイド手段を、前記ページめくり位置まで前記通帳が搬送されるときの高さ位置であって前記通帳の先端部を受入可能な受入ガイド位置と、前記通帳のページめくりが行われるときの高さ位置であって前記受入ガイド位置より高い退避ガイド位置との間で高さ調整する高さ調整手段と、
を備えたことを特徴とする請求項１に記載の通帳ページめくり装置。
【請求項３】
前記ガイド手段に設けられ、前記通帳のページめくりが行われているときに前記ガイド手段が前記通帳によって押し上げられたことを検知して、前記通帳のページめくりが行われているときのページめくり状態を判定可能なセンサ手段を備えたことを特徴とする請求項２に記載の通帳ページめくり装置。
【請求項４】
前記通帳のページめくりが行われるページめくり位置において前記搬送経路の下側に配置され、前記搬送手段と連動して、前記ページめくり位置まで搬送された前記通帳を湾曲させる突き上げ動作を行う突き上げ手段を備えたことを特徴とする請求項１ないし請求項３のいずれかに記載の通帳ページめくり装置。
【請求項５】
前記通帳のページめくりが行われるページめくり位置において前記搬送経路の下側に配置され、前記搬送手段と連動して、前記ページめくり位置まで搬送された前記通帳を前記ページめくり手段に押し当てる押し当て手段を備えたことを特徴とする請求項１ないし請求項４のいずれかに記載の通帳ページめくり装置。
【請求項６】
前記通帳のページめくりが行われているときに、前記ページめくり手段を揺動させてページさばき動作を行うように制御する揺動さばき制御手段を備えたことを特徴とする請求項１ないし請求項５のいずれかに記載の通帳ページめくり装置。
【請求項７】
前記通帳のページめくりが行われているときに、前記突き上げ手段を上下動させてページさばき動作を行うように制御する上下動さばき制御手段を備えたことを特徴とする請求項４ないし請求項６のいずれかに記載の通帳ページめくり装置。
【請求項８】
前記通帳のページめくりが終了したときに、前記通帳の表紙を載せた状態で前記ページめくり手段を揺動させて前記通帳の表紙閉じ動作を行うように制御する表紙閉じ制御手段を備えたことを特徴とする請求項１ないし請求項７のいずれかに記載の通帳ページめくり装置。
【請求項９】
前記センサ手段によって前記通帳のページめくりが失敗したと判定されたときに、前記突き上げ手段の突き上げ動作を行って、前記通帳のページめくりを再度行うように制御するリトライ制御手段を備えたことを特徴とする請求項４ないし請求項８のいずれかに記載の通帳ページめくり装置。
【発明の詳細な説明】
【技術分野】
【０００１】
本発明は、複数枚のシートが綴じられた通帳のページめくりを行う通帳ページめくり装置に関し、特に、通帳の正めくりと逆めくりを行う機能を備えた通帳ページめくり装置に関するものである。
【背景技術】
【０００２】
通帳ページめくり装置は、郵便局や銀行等の金融機関に設置された現金自動支払装置に用いられており、現金自動支払装置で通帳に取引データの印字を行うときに通帳のページめくりを行う。このような通帳ページめくり装置には、通帳のページを逆方向にめくる機能なども求められる。
【０００３】
そこで、従来、正めくりと逆めくりを行う機能を備えた通帳ページめくり装置が提案されている（例えば特許文献１参照）。この従来の通帳ページめくり装置では、搬送面の中央のめくりローラの両側に、それぞれ送りローラと突き上げ部材を備えた正めくり領域と逆めくり領域が形成されており、これらの正めくり領域と逆めくり領域を利用して、通帳の表紙の正めくりと逆めくりが行われる。
【特許文献１】特開２００１−２２５５７０号公報
【発明の開示】
【発明が解決しようとする課題】
【０００４】
しかしながら、従来の通帳ページめくり装置においては、通帳の正めくりと逆めくりを行うことができるものの、そのためには、搬送面の中央に固定されためくりローラの両側に、それぞれページめくり上げのための空間を確保して正めくり領域と逆めくり領域を形成する必要があり、装置の小型化が困難であるという問題があった。
【０００５】
本発明は、上記従来の問題を解決するためになされたもので、通帳の正めくりと逆めくりを行うことが可能であり、かつ、装置を小型化することが可能な通帳ページめくり装置を提供することを目的とする。
【課題を解決するための手段】
【０００６】
本発明の通帳ページめくり装置は、複数枚のシートが綴じ部で綴じられた通帳を搬送経路上で搬送する搬送手段と、前記搬送手段と連動して、前記搬送経路上で搬送される前記通帳のページめくりを行うページめくり手段と、前記ページめくり手段を、前記搬送手段との間に正方向のページめくり用の空間が確保された正めくり位置と、前記搬送手段との間に逆方向のページめくり用の空間が確保された逆めくり位置との間で揺動させる揺動手段と、を備えた構成を有している。
【０００７】
この構成により、揺動手段を用いて、ページめくり手段を正めくり位置まで移動させると、ページめくり手段と搬送手段との間に正めくり用の空間が確保され、通帳の正めくりが可能になる。また、揺動手段を用いて、ページめくり手段を逆めくり位置まで移動させると、ページめくり手段と搬送手段との間に逆めくり用の空間が確保され、通帳の逆めくりが可能になる。このようにして、ページめくり手段を揺動させることにより、搬送手段とページめくり手段との間に正めくり用の空間と逆めくり用の空間を確保することができるので、従来のようにめくりローラが固定されている場合に比べて、装置を小型化することが可能である。
【０００８】
また、本発明の通帳ページめくり装置は、前記通帳のページめくりが行われるページめくり位置において前記搬送経路の上側に配置され、前記搬送経路上での前記通帳の搬送をガイドするガイド手段と、前記ページめくり手段の揺動と連動して、前記ガイド手段を、前記ページめくり位置まで前記通帳が搬送されるときの高さ位置であって前記通帳の先端部を受入可能な受入ガイド位置と、前記通帳のページめくりが行われるときの高さ位置であって前記受入ガイド位置より高い退避ガイド位置との間で高さ調整する高さ調整手段と、を備えた構成を有している。
【０００９】
この構成により、ページめくり手段の揺動と連動して、ガイド手段が受入ガイド位置と退避ガイド位置との間で高さ調整される。通帳がページめくり位置まで搬送（吸入）されるときには、ガイド手段の高さ位置を受入ガイド位置にすることにより、通帳の先端部を円滑に受け入れることができる。また、通帳のページめくりが行われるときには、ガイド手段の高さ位置を退避ガイド位置にすることにより、ページめくりの際のガイド手段への負荷を軽減することができる。
【００１０】
また、本発明の通帳ページめくり装置は、前記ガイド手段に設けられ、前記通帳のページめくりが行われているときに前記ガイド手段が前記通帳によって押し上げられたことを検知して、前記通帳のページめくりが行われているときのページめくり状態を判定可能なセンサ手段を備えた構成を有している。
【００１１】
この構成により、通帳のページめくり（ページのめくり上げ）が行われているときに、ガイド手段が通帳によって押し上げられていないことが検知された場合には、ページのめくり上げが失敗していると判定される。これにより、ガイド手段に設けられたセンサ手段を用いて、通帳のページめくりが行われているときのページめくり状態（めくり上げの成否）を確認することができる。
【００１２】
また、本発明の通帳ページめくり装置は、前記通帳のページめくりが行われるページめくり位置において前記搬送経路の下側に配置され、前記搬送手段と連動して、前記ページめくり位置まで搬送された前記通帳を湾曲させる突き上げ動作を行う突き上げ手段を備えた構成を有している。
【００１３】
この構成により、通帳のページめくりが行われているときに、搬送手段と連動する突き上げ手段により突き上げ動作が行われて、通帳が適度に湾曲した状態になるので、通帳のページめくり（めくり上げ）を容易に行うことができる。
【００１４】
また、本発明の通帳ページめくり装置は、前記通帳のページめくりが行われるページめくり位置において前記搬送経路の下側に配置され、前記搬送手段と連動して、前記ページめくり位置まで搬送された前記通帳を前記ページめくり手段に押し当てる押し当て手段を備えた構成を有している。
【００１５】
この構成により、通帳のページめくりが行われているときに、搬送手段と連動する押し当て手段により通帳が適度な押圧力でページめくり手段に押し当てられた状態になるので、通帳のページめくり（めくり上げ）を容易に行うことができる。
【００１６】
また、本発明の通帳ページめくり装置は、前記通帳のページめくりが行われているときに、前記ページめくり手段を揺動させてページさばき動作を行うように制御する揺動さばき制御手段を備えた構成を有している。
【００１７】
この構成により、通帳のページめくりが行われているときに、揺動手段によってページめくり手段を揺動させてページさばき動作が行われる。これにより、通帳のページめくりのときに２枚同時にめくり上げられた場合にも、２枚目のページを分離することができ、２枚めくりを防止することができる。
【００１８】
また、本発明の通帳ページめくり装置は、前記通帳のページめくりが行われているときに、前記突き上げ手段を上下動させてページさばき動作を行うように制御する上下動さばき制御手段を備えた構成を有している。
【００１９】
この構成により、通帳のページめくりが行われているときに、突き上げ手段を上下動させてページさばき動作が行われる。これにより、通帳のページめくりのときに２枚同時にめくり上げられた場合にも、２枚目のページを分離することができ、２枚めくりを防止することができる。
【００２０】
また、本発明の通帳ページめくり装置は、前記通帳のページめくりが終了したときに、前記通帳の表紙を載せた状態で前記ページめくり手段を揺動させて前記通帳の表紙閉じ動作を行うように制御する表紙閉じ制御手段を備えた構成を有している。
【００２１】
この構成により、通帳のページめくりが終了したときに、ページめくり手段を揺動させて、通帳の表紙閉じ動作を行うことができる。したがって、表紙閉じのための機構を別途設ける必要がなくなり、その分だけ装置を小型化することが可能となる。
【００２２】
また、本発明の通帳ページめくり装置は、前記センサ手段によって前記通帳のページめくりが失敗したと判定されたときに、前記突き上げ手段の突き上げ動作を行って、前記通帳のページめくりを再度行うように制御するリトライ制御手段を備えた構成を有している。
【００２３】
この構成により、通帳のページめくり（ページのめくり上げ）が行われているときに、センサ手段によって、ガイド手段が通帳によって押し上げられていないことが検知され、ページのめくり上げが失敗していると判定された場合には、突き上げ手段による突き上げ動作が行われて、再度ページめくり（ページめくり直し）が行われる。この場合、通帳をページめくり位置から移動させずに、短時間のうちにページめくりを再度行うことができる。これにより、通帳のページめくりが失敗した場合に、ページめくり直しに要する時間を短縮することができる。
【発明の効果】
【００２４】
本発明は、ページめくり手段を正めくり位置と逆めくり位置との間で揺動させる揺動手段を設けることにより、通帳の正めくりと逆めくりを行うことが可能であり、かつ、装置を小型化することができるという効果を有する通帳ページめくり装置を提供することができるものである。
【発明を実施するための最良の形態】
【００２５】
以下、本発明の実施の形態の通帳ページめくり装置について、図面を用いて説明する。本実施の形態では、郵便局や銀行などの金融機関に設置された現金自動支払装置等に用いられる通帳ページめくり装置の場合を例示する。
【００２６】
本実施の形態の通帳ページめくり装置の構成を図１および図２を用いて説明する。図１は、通帳ページめくり装置の構成を説明するための斜視図（要部のみの斜視図）である。図２は、通帳ページめくり装置のページめくりユニットの構成の説明図である。図１に示すように、通帳ページめくり装置１は、搬送経路に沿って通帳Ｔを搬送する一対の搬送ユニット２と、通帳Ｔのページめくりを行うページめくりユニット３を備えている。
【００２７】
各搬送ユニット２は、円柱形状の二つの搬送ローラ４と、円棒形状の軸部５を備えている。二つの搬送ローラ４は、軸部５を中心軸として回転可能に軸支されている。図１では図示されていないが、各搬送ローラ４は、その搬送ローラ４（上搬送ローラともいう）に対向する搬送ローラ６（下搬送ローラともいう）を備えている（図３など参照）。この搬送ユニット２は、上搬送ローラ４と下搬送ローラ６との間に通帳Ｔを挟んだ状態で、上搬送ローラ４と下搬送ローラ６を回転させることにより、通帳Ｔを搬送経路上で搬送することができるように構成されている（図６など参照）。ここでは、これらの搬送ローラ４、６が、本発明の搬送手段に相当する。
【００２８】
また、図１に示すように、搬送ローラ４の軸部５には、板状のガイド部材７が回動可能に取り付けられている。ガイド部材７の先端には、上方に向けて屈曲している屈曲ガイド部８が形成されている。また、後述するように、ガイド部材７は、搬送ローラ４の軸部５を中心軸として回動することによって、受入ガイド位置と退避ガイド位置との間を回動可能になっている（図３〜図５参照）。ここでは、このガイド部材７が、本発明のガイド手段に相当する。
【００２９】
このガイド部材７には、ガイド部材７が押し上げられたことを検知する検知センサ９が取り付けられている。通帳Ｔのページめくりが行われているときに、めくり上げられた通帳Ｔのシートによってガイド部材７が押し上げられると、その状態（ページめくり状態）が検知センサ９によって検知される。つまり、この検知センサ９によって、通帳Ｔのページめくりが行われているときのページめくり状態を判定可能であるともいえる。ここでは、この検知センサ９が、本発明のセンサ手段に相当する。
【００３０】
ページめくりユニット３は、一対の搬送ユニット２の間に配置されており、円柱形状の二つのめくりローラ１０と、円棒形状の軸部１１と、軸部１１を支持するめくりレバー１２を備えている。二つのめくりローラ１０は、めくりローラモータ１３の回転駆動力によって、軸部１１を中心軸として回転可能に軸支されている。また、めくりローラ１０は、ページめくりを行うときに通帳Ｔのシートに接触するめくり接触部１４を備えている。このめくり接触部１４は、通帳Ｔのシートとの接触状態をできるだけ維持できるように、粘性ゴムなどの摩擦係数の高い材料を用いて製造されている。ここでは、このめくりローラ１０が、本発明のページめくり手段に相当する。
【００３１】
めくりレバー１２は、めくりレバーモータ１５の回転駆動力によって、揺動軸１６を中心として揺動可能に軸支されている（図３〜図５参照）。また、めくりレバー１２には、めくりレバーカム１７が設けられている。めくりレバーカム１７には、ガイド部材７に設けられたピン１８が当接する二段円弧部１９が形成されている。二段円弧部１９は、ピン１８を介するガイド部材７の押し上げを行わない下段円弧部２０と、ピン１８を介してガイド部材７の押し上げを行う上段円弧部２１と、下段円弧部２０と上段円弧部２１との間に設けられた段差部２２を備えている。
【００３２】
めくりレバーカム１７の二段円弧部１９によるガイド部材７の押し上げは、めくりレバー１２の揺動に連動して行われる。ここで、図３〜図５を用いて、めくりレバー１２の揺動とガイド部材７の押し上げの動作について、より詳細に説明する。
【００３３】
図３に示すように、めくりレバー１２が垂直な状態では、めくりローラ１０が二つの搬送ローラ４、４の中央に位置している。この状態では、めくりレバーカム１７の下段円弧部２０にピン１８が当接しており、ピン１８を介するガイド部材７の押し上げは行われない。
【００３４】
図４に示すように、めくりレバー１２が少し傾いた状態では、めくりローラ１０が一方の搬送ローラ側に少し移動している。この状態では、めくりレバーカム１７の段差部２２にピン１８が乗り上げており、ピン１８を介してガイド部材７が少し押し上げられる。ガイド部材７が少し押し上げられると、ガイド部材７の先端の屈曲ガイド部８の高さが、搬送される通帳Ｔの先端部を受入可能な高さになる。このときのガイド部材７が、本発明の受入ガイド位置である。
【００３５】
図５に示すように、めくりレバー１２が完全に傾いた状態では、めくりローラ１０が一方（図５では右側）の搬送ローラ側へ移動完了している。この状態では、めくりレバーカム１７の上段円弧部２１にピン１８が当接しており、ピン１８を介してガイド部材７が完全に押し上げられる。ガイド部材７の押し上げが完了すると、ガイド部材７は通帳Ｔのページめくりによる負荷を軽減できる程度の高さまで退避する。このときのガイド部材７が、本発明の退避ガイド位置である。したがって、このめくりレバーカム１７とピン１８が、本発明の高さ調整手段に相当するともいえる。
【００３６】
また、図５に示すように、めくりレバー１２を片側に傾けて、めくりローラ１０が一方（図５では右側）の搬送ローラ側に移動した状態では、めくりローラ１０と他方の搬送ローラ４（左側の搬送ローラ）との間に、ページめくり用の空間（例えば、正めくり用の空間）が確保される。また、めくりレバー１２を逆側に傾けて、めくりローラ１０が他方（例えば左側）の搬送ローラ側に移動した状態では、めくりローラ１０と一方の搬送ローラ４（右側の搬送ローラ）との間に、ページめくり用の空間（例えば、逆めくり用の空間）が確保される。このようにめくりレバー１２を揺動させることにより、正めくり用の空間を確保できる正めくり位置と逆めくり用の空間を確保できる逆めくり位置との間でめくりローラ１０が揺動する。つまり、このめくりレバー１２が、本発明の揺動手段に相当する。
【００３７】
図２に示すように、ページめくりユニット３は、通帳Ｔの搬送経路の下側に配置された一対の突き上げレバー２３を備えている。突き上げレバー２３は、突き上げレバーモータ２４の駆動力によって、上側の位置（突き上げ位置）と下側の位置（待機位置）との間を上下動可能である。通帳Ｔが搬送されると突き上げレバー２３が上方向に動き、通帳Ｔがこの突き上げレバー２３によって下側から突き上げられて湾曲する。つまり、この突き上げレバー２３によって、搬送された通帳Ｔのシートを湾曲させる突き上げ動作が行われる。したがって、この突き上げレバー２３が、本発明の突き上げ手段に相当する。
【００３８】
また、ページめくりユニット３は、突き上げレバー２３に連動して上下動する一対のバックアップローラ２５を備えている。バックアップローラ２５は、軸部２６を中心にして回動することにより上下動可能に取り付けられている。この場合、バックアップローラ２５は、取り付けられたバネ部材２７の弾性力によって、上方向に付勢されている（図７参照）。バックアップローラ２５には、突き上げレバー２３とともに上下動する係止片２８に係合する係止ピン２９が設けられている。突き上げレバー２３が下方向に動くと、突き上げレバー２３と連動する係止片２８に係止ピン２９が引っ掛かり、バックアップローラ２５がバネ部材２７の弾性力に抗して下方向に押し下げられる（図６参照）。突き上げレバー２３が上方向に動くと、係止ピン２９が係止片２８から外れて、バックアップローラ２５がバネ部材２７の弾性力により上方向に押し上げられる（図７参照）。搬送された通帳Ｔのシートは、このバックアップローラ２５によって下側から押し上げられて、めくりローラ１０に押し当てられる。したがって、このバックアップローラ２５が、本発明の押し当て手段に相当する。
【００３９】
また、図２に示すように、通帳ページめくり装置１は、ＣＰＵやマイコン等によって構成された制御部３０を備えており、この制御部３０は、後述するように、めくりローラ１０を回転させるめくりローラモータ１３と、めくりレバー１２を揺動させるめくりレバーモータ１５と、突き上げレバー２３を上下動させる突き上げレバーモータ２４の動作を制御している。
【００４０】
例えば、この制御部３０は、通帳Ｔのページめくりが行われているときに、めくりローラ１０を揺動させてページさばき動作を行うように、めくりレバー１２の動作を制御する機能を備えている。また、この制御部３０は、突き上げレバー２３を上下動させてページさばき動作を行う制御を行う機能を備えている。また、この制御部３０は、検知センサ９によって通帳Ｔのページめくりが失敗したと判定されたときに、突き上げレバー２３の突き上げ動作を行って、通帳Ｔのページめくりを再度行うように制御する機能を備えている。さらに、この制御部３０は、通帳Ｔのページめくりが終了したときに、通帳Ｔの表紙を載せた状態でめくりローラ１０を揺動させて、通帳Ｔの表紙閉じ動作を行うように、めくりレバー１２の動作を制御する機能を備えている。
【００４１】
以上のように構成された本実施の形態の通帳ページめくり装置１について、図面を用いてその動作を説明する。ここでは、本発明の特徴的な動作である通帳Ｔのページめくり動作と表紙閉じ動作について説明する。
【００４２】
（ページめくり動作）
まず、本実施の形態の通帳ページめくり装置１における通帳Ｔのページめくり動作について、図６〜図１２を用いて説明する。なお、ここでは、通帳Ｔの正めくりを行う場合を例示して説明する。
【００４３】
本実施の形態の通帳ページめくり装置１を用いてページめくりを行うときには、まず、図６に示すように、めくりレバー１２を正めくり側に少し傾けて、ガイド部材７を少し上げた状態にする。そして、通帳Ｔをページめくり位置まで搬送する通帳吸入が行われる。このように、ガイド部材７を受入ガイド位置に移動させることにより、ガイド部材７が通帳Ｔをページめくり位置まで搬送するのが容易になる。なお、このとき、突き上げレバー２３は、搬送経路の下側に待機した位置にあり、バックアップローラ２５は押下げられている。
【００４４】
つぎに、図７に示すように、めくりレバー１２を正めくり側にさらに傾けて、めくりローラ１０を正めくり位置に移動させるとともに、ガイド部材７を退避ガイド位置に移動させる。その後、突き上げレバー２３を上方向に移動させる。つまり、突き上げレバー２３を突き上げ位置まで上昇させて、通帳Ｔのページを湾曲させる突き上げ動作を行う。これにより、通帳Ｔのページが湾曲してページめくりをしやすくなる。このとき、突き上げレバー２３が上方向に移動するとともに、バックアップローラ２５が上方向に移動する。これにより、通帳Ｔのページがめくりローラ１０に押し当てられて、ページめくりをしやすくなる。
【００４５】
そして、図８に示すように、めくりローラ１０を回転させて通帳Ｔのページめくりが行われる。このとき、めくりローラ１０の回転によって通帳Ｔのページがめくり上げられると、めくり上げられたページによってガイド部材７が押し上げられて、検知センサ９がＯＮになる。したがって、めくりローラ１０の回転を行ったにもかかわらず、検知センサ９がＯＦＦのままである場合には、突き上げレバー２３による突き上げ動作を再度行うリトライ制御が行われる。なお、リトライの回数に応じて、突き上げレバー２３の突き上げ位置を徐々に高くする制御を行っても良い。
【００４６】
つづいて、図９に示すように、めくりローラ１０の回転を一旦停止させて、突き上げレバー２３を待機位置まで下降させる。このとき、突き上げレバー２３を上下動させることにより、ページめくりの際に２枚同時にめくられたページを分離させることができる。つまり、突き上げレバー２３の上下動により、ページさばき動作を行うことができる。また、このとき、検知センサ９がＯＮのままであれば、ページがめくり上げられた状態のままであると判定することができ、検知センサ９がＯＦＦになった場合には、ページが上手くめくり上げられていない状態である（めくり上げたページが元に戻ってしまった）と判定できる。そして、検知センサ９がＯＦＦになった場合には、突き上げレバー２３による突き上げ動作を再度行うリトライ制御が行われる。
【００４７】
つぎに、図１０に示すように、めくりレバー１２を往復動作させることにより、ページめくりの際に２枚同時にめくられたページを分離させることができる。つまり、めくりローラ１０の揺動により、ページさばき動作を行うことができる。このときにも、検知センサ９がＯＮのままであれば、ページがめくり上げられた状態のままであると判定することができ、検知センサ９がＯＦＦになった場合には、ページが上手くめくり上げられていない状態である（めくり上げたページが元に戻ってしまった）と判定できる。そして、上記と同様に、検知センサ９がＯＦＦになった場合には、突き上げレバー２３による突き上げ動作を再度行うリトライ制御が行われる。
【００４８】
その後、図１１に示すように、めくりローラ１０を回転させてページをめくり上げる。このとき、めくりローラ１０を１回転以上回転させると、ページが完全にめくり上げられる。そして、ページがめくり上げられると、検知センサ９がＯＦＦになる。したがって、めくりローラ１０の回転を行ったにもかかわらず、検知センサ９がＯＮのままである場合には、ページのめくり上げが成功していないと判定される。その場合には、通帳Ｔを一旦排出することにより、通帳Ｔのページを平らな状態にした後、図６の通帳Ｔの吸入からやり直す。つまり、図６に示すように、めくりレバー１２を正めくり側に少し傾けて、ガイド部材７を少し上げた状態にして、通帳Ｔをページめくり位置まで搬送するところからやり直す。
【００４９】
さらに連続してページめくりを実行する場合には、図７の突き上げ動作に戻る。つまり、図７に示すように、突き上げレバー２３を突き上げ位置まで上昇させて、通帳Ｔのページを湾曲させる突き上げ動作まで戻り、連続してページめくりを行う。
【００５０】
そして、図１２に示すように、通帳Ｔを排出してページを反転させる。このようにして、通帳ページめくり装置１でのページめくりの動作が終了する。
【００５１】
ここでは、めくりレバー１２を正めくり側（図６〜図１２の右側）に傾けて通帳Ｔのページの正めくりを行う例について説明したが、めくりレバー１２を逆めくり側（図６〜図１２の左側）に傾けることにより、通帳Ｔのページの逆めくりを行うことが同様に可能である。
【００５２】
（表紙閉じ動作）
つぎに、本実施の形態の通帳ページめくり装置１における通帳Ｔの表紙閉じ動作について、図１３〜図１８を用いて説明する。
【００５３】
本実施の形態の通帳ページめくり装置１を用いて表紙閉じを行うときには、まず、図１３に示すように、めくりレバー１２を反対側（逆めくり側）に傾けて、通帳Ｔの吸入を行う。
【００５４】
その後、図１４に示すように、通帳Ｔの先端が突き上げレバー２３の位置に到達したら、通帳Ｔの搬送を一旦停止させる。そして、突き上げレバー２３を上昇させて、通帳Ｔの先端を突き上げレバー２３で持ち上げる。
【００５５】
つぎに、図１５に示すように、めくりローラ１０を回転させながら通帳Ｔの吸入を行う。このとき、通帳Ｔの先端がめくりローラ１０の上を越えたら、突き上げレバー２３を下降させて、さらに、めくりローラ１０を回転させながら通帳Ｔの吸入を続ける。
【００５６】
その後、図１６に示すように、通帳Ｔの綴じ目が中央に到達したら、通帳Ｔの吸入を停止する。そして、めくりレバー１２を中央に向けて戻すように揺動させて、通帳Ｔの表紙を反転させる。つまり、通帳Ｔの表紙を載せた状態でめくりローラ１０を揺動させて、通帳Ｔの表紙を閉じる動作を行う。
【００５７】
つぎに、図１７に示すように、めくりレバー１２を逆めくり側に傾けた後、めくりローラ１０を回転させながら通帳Ｔの吸入を行う。これにより、通帳Ｔがめくりローラ１０の下を通過すると、通帳Ｔの表紙が完全に閉じた状態になる。
【００５８】
そして、図１８に示すように、通帳Ｔの表紙が完全に閉じた状態になったら、通帳Ｔの吸入を停止し、その後、通帳Ｔを排出する。このようにして、通帳ページめくり装置１での表紙閉じ動作が終了する。
【００５９】
このような本発明の実施の形態の通帳ページめくり装置１によれば、めくりローラ１０を正めくり位置と逆めくり位置との間で揺動させるめくりレバー１２を設けることにより、通帳Ｔの正めくりと逆めくりを行うことが可能になり、かつ、装置を小型化することができる。
【００６０】
すなわち、本実施の形態では、めくりレバー１２を用いて、めくりローラ１０を正めくり位置まで移動させると、めくりローラ１０と搬送ローラ４との間に正めくり用の空間が確保され、通帳Ｔの正めくりが可能になる。また、めくりレバー１２を用いて、めくりローラ１０を逆めくり位置まで移動させると、めくりローラ１０と搬送ローラ４との間に逆めくり用の空間が確保され、通帳Ｔの逆めくりが可能になる。このようにして、めくりローラ１０を揺動させることにより、搬送ローラ４とめくりローラ１０との間に正めくり用の空間と逆めくり用の空間を確保することができるので、従来のようにめくりローラが固定されている場合に比べて、装置を小型化することが可能である。
【００６１】
また、本実施の形態では、めくりローラ１０の揺動と連動して、ガイド部材７が受入ガイド位置と退避ガイド位置との間で高さ調整される。通帳Ｔがページめくり位置まで搬送（吸入）されるときには、ガイド部材７の高さ位置を受入ガイド位置にすることにより、通帳Ｔの先端部を円滑に受け入れることができる。また、通帳Ｔのページめくりが行われるときには、ガイド部材７の高さ位置を退避ガイド位置にすることにより、ページめくりの際のガイド部材７への負荷を軽減することができる。
【００６２】
また、本実施の形態では、通帳Ｔのページめくり（ページのめくり上げ）が行われているときに、ガイド部材７が通帳Ｔによって押し上げられていないことが検知された場合には、ページのめくり上げが失敗していると判定される。これにより、ガイド部材７に設けられた検知センサ９を用いて、通帳Ｔのページめくりが行われているときのページめくり状態（めくり上げの成否）を確認することができる。
【００６３】
また、本実施の形態では、通帳Ｔのページめくりが行われているときに、搬送ローラ４と連動する突き上げレバー２３により突き上げ動作が行われて、通帳Ｔが適度に湾曲した状態になるので、通帳Ｔのページめくり（めくり上げ）を容易に行うことができる。
【００６４】
また、本実施の形態では、通帳Ｔのページめくりが行われているときに、搬送ローラ４と連動する押し当てローラにより通帳Ｔが適度な押圧力でめくりローラ１０に押し当てられた状態になるので、通帳Ｔのページめくり（めくり上げ）を容易に行うことができる。
【００６５】
また、本実施の形態では、通帳Ｔのページめくりが行われているときに、めくりレバー１２によってめくりローラ１０を揺動させてページさばき動作が行われる。これにより、通帳Ｔのページめくりのときに２枚同時にめくり上げられた場合にも、２枚目のページを分離することができ、２枚めくりを防止することができる。
【００６６】
また、本実施の形態では、通帳Ｔのページめくりが行われているときに、突き上げレバー２３を上下動させてページさばき動作が行われる。これにより、通帳Ｔのページめくりのときに２枚同時にめくり上げられた場合にも、２枚目のページを分離することができ、２枚めくりを防止することができる。
【００６７】
また、本実施の形態では、通帳Ｔのページめくりが終了したときに、めくりローラ１０を揺動させて、通帳Ｔの表紙閉じ動作を行うことができる。したがって、表紙閉じのための機構を別途設ける必要がなくなり、その分だけ装置を小型化することが可能となる。
【００６８】
また、本実施の形態では、通帳Ｔのページめくり（ページのめくり上げ）が行われているときに、ガイド部材７が通帳Ｔによって押し上げられていないことが検知され、ページのめくり上げが失敗していると判定された場合には、突き上げレバー２３による突き上げ動作が行われて、再度ページめくり（ページめくり直し）が行われる。この場合、通帳Ｔをページめくり位置から移動させずに、短時間のうちにページめくりを再度行うことができる。これにより、通帳Ｔのページめくりが失敗した場合に、ページめくり直しに要する時間を短縮することができる。
【００６９】
以上、本発明の実施の形態を例示により説明したが、本発明の範囲はこれらに限定されるものではなく、請求項に記載された範囲内において目的に応じて変更・変形することが可能である。
【産業上の利用可能性】
【００７０】
以上のように、本発明にかかる通帳ページめくり装置は、通帳の正めくりと逆めくりを行うことが可能になり、かつ、装置を小型化することができるという効果を有し、郵便局や銀行などの金融機関に設置された現金自動支払装置等に用いられ、有用である。
【図面の簡単な説明】
【００７１】
【図１】本実施の形態における通帳ページめくり装置の構成を説明するための斜視図
【図２】通帳ページめくり装置のページめくりユニットの構成の説明図
【図３】本実施の形態におけるめくりローラの揺動の説明図
【図４】めくりローラの揺動（ガイド部材が受入ガイド位置の状態）の説明図
【図５】めくりローラの揺動（ガイド部材が退避ガイド位置の状態）の説明図
【図６】本実施の形態における通帳ページめくり装置のページめくり動作（通帳吸入）の説明図
【図７】通帳ページめくり装置のページめくり動作（突き上げレバー上昇）の説明図
【図８】通帳ページめくり装置のページめくり動作（めくりローラ回転）の説明図
【図９】通帳ページめくり装置のページめくり動作（めくりローラ一旦停止）の説明図
【図１０】通帳ページめくり装置のページめくり動作（さばき動作）の説明図
【図１１】通帳ページめくり装置のページめくり動作（ページめくり上げ）の説明図
【図１２】通帳ページめくり装置のページめくり動作（ページ反転）の説明図
【図１３】本実施の形態における通帳ページめくり装置の表紙閉じ動作（通帳吸入）の説明図
【図１４】通帳ページめくり装置の表紙閉じ動作（突き上げレバー上昇）の説明図
【図１５】通帳ページめくり装置の表紙閉じ動作（めくりローラ回転・通帳吸入）の説明図
【図１６】通帳ページめくり装置の表紙閉じ動作（表紙反転）の説明図
【図１７】通帳ページめくり装置の表紙閉じ動作（更に通帳吸入）の説明図
【図１８】通帳ページめくり装置の表紙閉じ動作（通帳排出）の説明図
【符号の説明】
【００７２】
１  通帳ページめくり装置
２  搬送ユニット
３  ページめくりユニット
４  搬送ローラ（上搬送ローラ）
６  搬送ローラ（下搬送ローラ）
７  ガイド部材
８  屈曲ガイド部
９  検知センサ
１０  めくりローラ
１２  めくりレバー
１４  めくり接触部
１５  めくりレバーモータ
１７  めくりレバーカム
１８  ピン
１９  二段円弧部
２０  下段円弧部
２１  上段円弧部
２２  段差部
２３  突き上げレバー
２４  突き上げレバーモータ
２５  バックアップローラ
２７  バネ部材
２８  係止片
２９  係止ピン
３０  制御部
Ｔ  通帳
【図１】
2009262368.tif 000003
【図２】
2009262368.tif 000004
【図３】
2009262368.tif 000005
【図４】
2009262368.tif 000006
【図５】
2009262368.tif 000007
【図６】
2009262368.tif 000008
【図７】
2009262368.tif 000009
【図８】
2009262368.tif 000010
【図９】
2009262368.tif 000011
【図１０】
2009262368.tif 000012
【図１１】
2009262368.tif 000013
【図１２】
2009262368.tif 000014
【図１３】
2009262368.tif 000015
【図１４】
2009262368.tif 000016
【図１５】
2009262368.tif 000017
【図１６】
2009262368.tif 000018
【図１７】
2009262368.tif 000019
【図１８】
2009262368.tif 000020